(57)【特許請求の範囲】
【請求項１】
複数の発光素子と、
各発光素子から発光された光を像担持体上に集光させる、長尺形状のロッドレンズユニットと、
長尺形状の貫通孔を有し、前記貫通孔の長尺方向に前記ロッドレンズユニットの長尺方向が沿うように前記貫通孔内に前記ロッドレンズユニットを挿入した状態で前記ロッドレンズユニットを保持するホルダーと、を備え、
前記ホルダーにおける保持は、前記ロッドレンズユニットが長尺方向における両端部又は両端部近傍において、前記貫通孔の短尺方向における両側の壁と当接し、当接した両側の壁に当該ロッドレンズユニットが押止されてなされている状態であり、
前記ホルダーは、弾性変形可能で、前記ロッドレンズユニットが前記貫通孔に挿入される前の状態における、前記貫通孔は、紡錘形の長尺形状であり、
前記保持は、前記ロッドレンズユニットが、さらに、長尺方向における中央部において、前記貫通孔の短尺方向における両側の壁と前記ホルダーが弾性変形された状態で当接し、当接した両側の壁に押止されてなされている状態であり、
前記貫通孔は、前記ロッドレンズユニットが挿入されていない状態で、長尺方向における両端部の短尺方向の幅が、前記ロッドレンズユニットの短尺方向の幅と同一又は当該短尺方向の幅よりも狭く、
前記保持は、前記紡錘形の貫通孔の長尺方向中央部の短尺方向の幅が前記ホルダーの弾性変形により窄められた状態で、前記ロッドレンズユニットの長尺方向中央部及び長尺方向における両端部が、それぞれ前記貫通孔の短尺方向における両側の壁と当接し、当接した両側の壁に押止されてなされている状態である
ことを特徴とする光書込み装置。
【請求項２】
複数の発光素子と、
各発光素子から発光された光を像担持体上に集光させる、長尺形状のロッドレンズユニットと、
長尺形状の貫通孔を有し、前記貫通孔の長尺方向に前記ロッドレンズユニットの長尺方向が沿うように前記貫通孔内に前記ロッドレンズユニットを挿入した状態で前記ロッドレンズユニットを保持するホルダーと、を備え、
前記ホルダーにおける保持は、前記ロッドレンズユニットが長尺方向における両端部又は両端部近傍において、前記貫通孔の短尺方向における両側の壁と当接し、当接した両側の壁に当該ロッドレンズユニットが押止されてなされている状態であり、
前記ホルダーは、弾性変形可能で、前記ロッドレンズユニットが前記貫通孔に挿入される前の状態における、前記ロッドレンズユニットと当接すべき前記貫通孔の両側の壁間の距離は、前記ロッドレンズユニットの短尺方向の幅よりも狭く、前記保持は、前記ロッドレンズユニットが前記貫通孔に挿入された状態において、前記ホルダーが弾性変形して前記壁間の距離が押し広げられた状態で、前記両側の壁と当接し、前記ホルダーが弾性変形することにより生じる弾性反力により、当接した両側の壁に押止されてなされている状態であり、
前記ロッドレンズユニットが当接する前記両側の壁は、前記貫通孔の内方に突設されており、
前記貫通孔の短尺方向両側の壁は、突設部より前記貫通孔の長尺方向端部側の壁の厚みが、突設部より前記貫通孔の長尺方向中央部側の壁の厚みより薄い
ことを特徴とする光書込み装置。
【請求項３】
複数の発光素子と、
各発光素子から発光された光を像担持体上に集光させる、長尺形状のロッドレンズユニットと、
長尺形状の貫通孔を有し、前記貫通孔の長尺方向に前記ロッドレンズユニットの長尺方向が沿うように前記貫通孔内に前記ロッドレンズユニットを挿入した状態で前記ロッドレンズユニットを保持するホルダーと、を備え、
前記ホルダーにおける保持は、前記ロッドレンズユニットが長尺方向における両端部又は両端部近傍において、前記貫通孔の短尺方向における両側の壁と当接し、当接した両側の壁に当該ロッドレンズユニットが押止されてなされている状態であり、
前記ホルダーは、弾性変形可能で、前記ロッドレンズユニットが前記貫通孔に挿入される前の状態における、前記ロッドレンズユニットと当接すべき前記貫通孔の両側の壁間の距離は、前記ロッドレンズユニットの短尺方向の幅よりも狭く、前記保持は、前記ロッドレンズユニットが前記貫通孔に挿入された状態において、前記ホルダーが弾性変形して前記壁間の距離が押し広げられた状態で、前記両側の壁と当接し、前記ホルダーが弾性変形することにより生じる弾性反力により、当接した両側の壁に押止されてなされている状態であり、
前記貫通孔の短尺方向両側の壁は、厚みが異なり、
前記両側の壁において、ロッドレンズユニットと当接する部分は、前記貫通孔の内方に突設されており、
厚みが厚い方の壁から突設している突設部の前記貫通孔の長尺方向の幅は、厚みが薄い方の壁から突設している突設部の前記貫通孔の長尺方向の幅よりも広い
ことを特徴とする光書込み装置。
【請求項４】
前記内方に突設する両側の壁は、前記ロッドレンズユニットが挿入される方向に前記貫通孔の深さが深くなるに従って両側の壁間の短尺方向の幅が狭くなるように前記貫通孔の内方へ傾斜する傾斜部を有している
ことを特徴とする請求項２または３に記載の光書込み装置。
【請求項５】
前記複数の発光素子は、長尺形状の基板ユニット上に配置され、
前記基板ユニットは、当該基板ユニットの長尺方向が、前記貫通孔の長尺方向に沿うように、前記ロッドレンズユニットの挿入側と深さ方向反対側から前記貫通孔内に挿入され、
前記ホルダーは前記基板ユニットを、前記基板ユニットの前記複数の発光素子が配置された側と前記ロッドレンズユニットとが前記貫通孔内において深さ方向に対向するように保持し、
前記ホルダーにおける前記基板ユニットの保持は、前記基板ユニットが長尺方向両側の端部又は端部近傍において、前記貫通孔の短尺方向両側の壁と当接し、当接した両側の壁に押止されてなされている
ことを特徴とする請求項１〜４の何れかに記載の光書込み装置。
【請求項６】
前記ホルダーは、弾性変形可能で、前記基板ユニットが前記反対側の貫通孔に挿入される前の状態における、当該反対側の貫通孔の形状は、紡錘形の長尺形状であり、
前記基板ユニットの保持は、さらに、前記基板ユニットが長尺方向中央部において、前記反対側の貫通孔の短尺方向両側の壁と前記ホルダーが弾性変形された状態で当接し、当接した両側の壁により押止されてなされている
ことを特徴とする請求項５に記載の光書込み装置。
【請求項７】
複数の発光素子と、
各発光素子から発光された光を像担持体上に集光させる、長尺形状のロッドレンズユニットと、
長尺形状の貫通孔を有し、前記貫通孔の長尺方向に前記ロッドレンズユニットの長尺方向が沿うように前記貫通孔内に前記ロッドレンズユニットを挿入した状態で前記ロッドレンズユニットを保持するホルダーと、を備え、
前記ホルダーにおける保持は、前記ロッドレンズユニットが長尺方向における両端部又は両端部近傍において、前記貫通孔の短尺方向における両側の壁と当接し、当接した両側の壁に当該ロッドレンズユニットが押止されてなされている状態であり、
前記複数の発光素子は、長尺形状の基板ユニット上に配置され、
前記基板ユニットは、当該基板ユニットの長尺方向が、前記貫通孔の長尺方向に沿うように、前記ロッドレンズユニットの挿入側と深さ方向反対側から前記貫通孔内に挿入され、
前記ホルダーは前記基板ユニットを、前記基板ユニットの前記複数の発光素子が配置された側と前記ロッドレンズユニットとが前記貫通孔内において深さ方向に対向するように保持し、
前記ホルダーにおける前記基板ユニットの保持は、前記基板ユニットが長尺方向両側の端部又は端部近傍において、前記貫通孔の短尺方向両側の壁と当接し、当接した両側の壁に押止されてなされており、
前記ホルダーは、弾性変形可能で、前記基板ユニットが前記反対側の貫通孔に挿入される前の状態における、当該反対側の貫通孔の形状は、紡錘形の長尺形状であり、
前記基板ユニットの保持は、さらに、前記基板ユニットが長尺方向中央部において、前記反対側の貫通孔の短尺方向両側の壁と前記ホルダーが弾性変形された状態で当接し、当接した両側の壁により押止されてなされており、
前記反対側の貫通孔は、長尺方向両端部の短尺方向の幅が、前記基板ユニットの短尺方向の幅と同一又は当該短尺方向の幅よりも狭く、
前記基板ユニットの保持は、前記紡錘形の前記反対側の貫通孔の長尺方向中央部の短尺方向の幅が前記ホルダーの弾性変形により窄められた状態で、前記基板ユニットの長尺方向中央部及び長尺方向両端部が、それぞれ前記貫通孔の短尺方向両側の壁と当接し、当接した両側の壁に押止されてなされている
ことを特徴とする光書込み装置。
【請求項８】
前記基板ユニットは、前記複数の発光素子を含む光源基板と、光源基板全体を載せて固定する固定板と、を有し、
前記基板ユニットは、前記光源基板により、前記貫通孔の短尺方向両側の壁と当接し、前記固定板は、前記ホルダーの外部に露出している
ことを特徴とする請求項５に記載の光書込み装置。
【請求項９】
複数の発光素子と、
各発光素子から発光された光を像担持体上に集光させる、長尺形状のロッドレンズユニットと、
長尺形状の貫通孔を有し、前記貫通孔の長尺方向に前記ロッドレンズユニットの長尺方向が沿うように前記貫通孔内に前記ロッドレンズユニットを挿入した状態で前記ロッドレンズユニットを保持するホルダーと、を備え、
前記ホルダーにおける保持は、前記ロッドレンズユニットが長尺方向における両端部又は両端部近傍において、前記貫通孔の短尺方向における両側の壁と当接し、当接した両側の壁に当該ロッドレンズユニットが押止されてなされている状態であり、
前記複数の発光素子は、長尺形状の基板ユニット上に配置され、
前記基板ユニットは、当該基板ユニットの長尺方向が、前記貫通孔の長尺方向に沿うように、前記ロッドレンズユニットの挿入側と深さ方向反対側から前記貫通孔内に挿入され、
前記ホルダーは前記基板ユニットを、前記基板ユニットの前記複数の発光素子が配置された側と前記ロッドレンズユニットとが前記貫通孔内において深さ方向に対向するように保持し、
前記ホルダーにおける前記基板ユニットの保持は、前記基板ユニットが長尺方向両側の端部又は端部近傍において、前記貫通孔の短尺方向両側の壁と当接し、当接した両側の壁に押止されてなされており、
前記基板ユニットは、前記複数の発光素子を含む光源基板と、光源基板全体を載せて固定する固定板と、を有し、
前記基板ユニットは、前記光源基板により、前記貫通孔の短尺方向両側の壁と当接し、前記固定板は、前記ホルダーの外部に露出しており、
前記ホルダーは、弾性変形可能で、前記基板ユニットが前記反対側の貫通孔に挿入され
る前の状態における、当該反対側の貫通孔の形状は、紡錘形の長尺形状であり、
前記光源基板は、短尺方向の側面に配線部を有し、
前記固定板は、前記光源基板の長尺方向中央部の短尺方向両側の側面とそれぞれ非接触に対向するように上方に延びて、前記貫通孔の短尺方向両側の壁と前記光源基板の配線部が配置された側面とが当接しないように規制する規制部材を有し、
前記保持は、さらに、前記光源基板が長尺方向中央部において、前記反対側の貫通孔の短尺方向両側の壁と前記規制部材とが前記ホルダーが弾性変形された状態で当接された状態でなされている
ことを特徴とする光書込み装置。
【請求項１０】
前記基板ユニットが当接する前記両側の壁は、前記貫通孔の内方に突設している
ことを特徴とする請求項５、６、８、９の何れかに記載の光書込み装置。
【請求項１１】
前記ロッドレンズユニットは、長尺形状の、ロッドレンズアレイと、保護部材とから構成され、
前記ロッドレンズユニットは、ロッドレンズアレイの短尺方向両側が保護部材で挟持された状態で前記貫通孔内に挿入され、前記保護部材を介して前記貫通孔の短尺方向両側の壁と当接する
ことを特徴とする請求項５〜８の何れかに記載の光書込み装置。
【請求項１２】
複数の発光素子と、
各発光素子から発光された光を像担持体上に集光させる、長尺形状のロッドレンズユニットと、
長尺形状の貫通孔を有し、前記貫通孔の長尺方向に前記ロッドレンズユニットの長尺方向が沿うように前記貫通孔内に前記ロッドレンズユニットを挿入した状態で前記ロッドレンズユニットを保持するホルダーと、を備え、
前記ホルダーにおける保持は、前記ロッドレンズユニットが長尺方向における両端部又は両端部近傍において、前記貫通孔の短尺方向における両側の壁と当接し、当接した両側の壁に当該ロッドレンズユニットが押止されてなされている状態であり、
前記ホルダーは、弾性変形可能で、前記ロッドレンズユニットが前記貫通孔に挿入される前の状態における、前記貫通孔は、紡錘形の長尺形状であり、
前記保持は、前記ロッドレンズユニットが、さらに、長尺方向における中央部において、前記貫通孔の短尺方向における両側の壁と前記ホルダーが弾性変形された状態で当接し、当接した両側の壁に押止されてなされている状態であり、
前記ロッドレンズユニットの長尺方向中央部と当接する前記貫通孔の短尺方向両側の壁が押圧具で押止されている
ことを特徴とする光書込み装置。
【請求項１３】
請求項１〜１２の何れかに記載の光書込み装置を備える
ことを特徴とする画像形成装置。
【請求項１４】
複数の発光素子のそれぞれから発光された光を像担持体上に集光させる長尺形状のロッドレンズユニットを、前記ロッドレンズユニットを保持する前の状態において紡錘形で長尺形状の貫通孔を有する弾性変形可能なホルダーによって保持する保持方法であって、
前記貫通孔の長尺方向に前記ロッドレンズユニットの長尺方向が沿うように前記貫通孔内に前記ロッドレンズユニットを挿入した状態において、
前記ホルダーの長尺方向における中央部において短尺方向における両外側に力を加えて、前記ホルダーを弾性変形させることによって、
前記ロッドレンズユニットが長尺方向における両端部又は両端部近傍において、前記貫通孔の短尺方向における両側の壁と当接し、当接した両側の壁に当該ロッドレンズユニットが押止されている状態になるように、前記ロッドレンズユニットを保持し、
前記ロッドレンズユニットが、さらに、長尺方向における中央部において、前記貫通孔の短尺方向における両側の壁と前記ホルダーが弾性変形された状態で当接し、当接した両側の壁に押止されてなされている状態で保持し、
前記貫通孔は、前記ロッドレンズユニットが挿入されていない状態で、長尺方向における両端部の短尺方向の幅が、前記ロッドレンズユニットの短尺方向の幅と同一又は当該短尺方向の幅よりも狭く、
前記紡錘形の貫通孔の長尺方向中央部の短尺方向の幅が前記ホルダーの弾性変形により窄められた状態で、前記ロッドレンズユニットの長尺方向中央部及び長尺方向における両端部が、それぞれ前記貫通孔の短尺方向における両側の壁と当接し、当接した両側の壁に押止されてなされている状態で保持する
ことを特徴とするロッドレンズユニットの保持方法。
【発明の詳細な説明】
【技術分野】
【０００１】
本発明は、光書込み装置、当該光書込み装置を備える画像形成装置及びロッドレンズユニットの保持方法に関し、特に、発光素子から照射された光を像担持体上に集光させるロッドレンズユニットを光書込み装置に保持する技術に関する。
【背景技術】
【０００２】
従来、光書込み装置として、複数の発光素子から照射された光を像担持体上に集光させるロッドレンズユニットとして屈折率分布型ロッドレンズアレイを用いたものが知られている。
ロッドレンズアレイは、ホルダーに保持されて光書込み装置に組み込まれる。具体的には、長尺形状のロッドレンズアレイが、長尺形状の貫通孔を有するホルダーの貫通孔内に、ロッドレンズアレイの長尺方向が貫通孔の長尺方向に沿うように挿入された状態でホルダーに保持される。又、上記貫通孔内には、複数の発光素子が配列された光源基板が、ロッドレンズアレイと貫通孔の深さ方向に対向するように挿入された状態でホルダーに保持され、これにより、発光素子から照射された光がロッドレンズアレイに受光される。
【０００３】
ロッドレンズアレイをホルダーに保持する技術として、例えば、特許文献１には、貫通孔の長手方向中央部の幅（短手方向の幅）を中央部以外の領域より狭くし、当該中央部の両側の壁間にロッドレンズアレイの中央部（長手方向中央部）を挟み込んだ状態でロッドレンズアレイをホルダー（筐体）に保持する技術が開示されている。
これにより、ロッドレンズアレイの光軸方向が、基準となる光軸方向に対して傾きにくくし、ロッドレンズアレイの光軸方向が傾くことによる画質劣化を防止することができる。
【先行技術文献】
【特許文献】
【０００４】
【特許文献１】特開２０１４−９４４７２号公報
【発明の概要】
【発明が解決しようとする課題】
【０００５】
しかしながら、上記従来技術では、ロッドレンズアレイの中央部以外の領域は、接着剤でホルダーと接着されるので、接着剤の塗布ムラや、接着剤の硬化速度の差等により、接着剤硬化時に接着層にたまる応力のたまり具合にバラツキが生じ、これによりロッドレンズアレイの接着位置にバラツキが生じ得る。例えば、図１７に示すように、接着剤２０００で接着されてホルダー２００１に保持されたロッドレンズアレイ２００２が、幅方向（同図の矢印Ｐで示す方向）に回転し、その結果、ロッドレンズアレイと光源基板とをホルダーに保持した後、発光素子とロッドレンズアレイ間の相対位置がずれてしまい、画質劣化が生じるという問題が生じる。
【０００６】
本発明は、上述のような問題に鑑みて為されたものであって、ロッドレンズユニットをホルダーに保持した後、ロッドレンズユニットが幅方向に回転することにより、発光素子とロッドレンズユニット間の相対位置がずれないようにすることが可能な光書込み装置、当該光書込み装置を備える画像形成装置及びロッドレンズユニットの保持方法を提供することを目的とする。
【課題を解決するための手段】
【０００９】
上記目的を達成するため、本発明に係る光書込み装置は、複数の発光素子と、各発光素子から発光された光を像担持体上に集光させる、長尺形状のロッドレンズユニットと、長尺形状の貫通孔を有し、前記貫通孔の長尺方向に前記ロッドレンズユニットの長尺方向が沿うように前記貫通孔内に前記ロッドレンズユニットを挿入した状態で前記ロッドレンズユニットを保持するホルダーと、を備え、前記ホルダーにおける保持は、前記ロッドレンズユニットが長尺方向における両端部又は両端部近傍において、前記貫通孔の短尺方向における両側の壁と当接し、当接した両側の壁に当該ロッドレンズユニットが押止されてなされている状態であり、前記ホルダーは、弾性変形可能で、前記ロッドレンズユニットが前記貫通孔に挿入される前の状態における、前記貫通孔は、紡錘形の長尺形状であり、前記保持は、前記ロッドレンズユニットが、さらに、長尺方向における中央部において、前記貫通孔の短尺方向における両側の壁と前記ホルダーが弾性変形された状態で当接し、当接した両側の壁に押止されてなされている状態であり、前記貫通孔は、前記ロッドレンズユニットが挿入されていない状態で、長尺方向における両端部の短尺方向の幅が、前記ロッドレンズユニットの短尺方向の幅と同一又は当該短尺方向の幅よりも狭く、前記保持は、前記紡錘形の貫通孔の長尺方向中央部の短尺方向の幅が前記ホルダーの弾性変形により窄められた状態で、前記ロッドレンズユニットの長尺方向中央部及び長尺方向における両端部が、それぞれ前記貫通孔の短尺方向における両側の壁と当接し、当接した両側の壁に押止されてなされている状態とすることを特徴とする。
【００１１】
さらに、複数の発光素子と、各発光素子から発光された光を像担持体上に集光させる、長尺形状のロッドレンズユニットと、長尺形状の貫通孔を有し、前記貫通孔の長尺方向に前記ロッドレンズユニットの長尺方向が沿うように前記貫通孔内に前記ロッドレンズユニットを挿入した状態で前記ロッドレンズユニットを保持するホルダーと、を備え、前記ホルダーにおける保持は、前記ロッドレンズユニットが長尺方向における両端部又は両端部近傍において、前記貫通孔の短尺方向における両側の壁と当接し、当接した両側の壁に当該ロッドレンズユニットが押止されてなされている状態であり、前記ホルダーは、弾性変形可能で、前記ロッドレンズユニットが前記貫通孔に挿入される前の状態における、前記ロッドレンズユニットと当接すべき前記貫通孔の両側の壁間の距離は、前記ロッドレンズユニットの短尺方向の幅よりも狭く、前記保持は、前記ロッドレンズユニットが前記貫通孔に挿入された状態において、前記ホルダーが弾性変形して前記壁間の距離が押し広げられた状態で、前記両側の壁と当接し、前記ホルダーが弾性変形することにより生じる弾性反力により、当接した両側の壁に押止されてなされている状態であり、前記ロッドレンズユニットが当接する前記両側の壁は、前記貫通孔の内方に突設されており、前記貫通孔の短尺方向両側の壁は、突設部より前記貫通孔の長尺方向端部側の壁の厚みが、突設部より前記貫通孔の長尺方向中央部側の壁の厚みより薄いこととすることができる。
【００１２】
又、複数の発光素子と、各発光素子から発光された光を像担持体上に集光させる、長尺形状のロッドレンズユニットと、長尺形状の貫通孔を有し、前記貫通孔の長尺方向に前記ロッドレンズユニットの長尺方向が沿うように前記貫通孔内に前記ロッドレンズユニットを挿入した状態で前記ロッドレンズユニットを保持するホルダーと、を備え、前記ホルダーにおける保持は、前記ロッドレンズユニットが長尺方向における両端部又は両端部近傍において、前記貫通孔の短尺方向における両側の壁と当接し、当接した両側の壁に当該ロッドレンズユニットが押止されてなされている状態であり、前記ホルダーは、弾性変形可能で、前記ロッドレンズユニットが前記貫通孔に挿入される前の状態における、前記ロッドレンズユニットと当接すべき前記貫通孔の両側の壁間の距離は、前記ロッドレンズユニットの短尺方向の幅よりも狭く、前記保持は、前記ロッドレンズユニットが前記貫通孔に挿入された状態において、前記ホルダーが弾性変形して前記壁間の距離が押し広げられた状態で、前記両側の壁と当接し、前記ホルダーが弾性変形することにより生じる弾性反力により、当接した両側の壁に押止されてなされている状態であり、前記貫通孔の短尺方向両側の壁は、厚みが異なり、前記両側の壁において、ロッドレンズユニットと当接する部分は、前記貫通孔の内方に突設し、厚みが厚い方の壁から突設している突設部の前記貫通孔の長尺方向の幅は、厚みが薄い方の壁から突設している突設部の前記貫通孔の長尺方向の幅よりも広いこととすることができる。
又、前記内方に突設する両側の壁は、前記ロッドレンズユニットが挿入される方向に前記貫通孔の深さが深くなるに従って両側の壁間の短尺方向の幅が狭くなるように前記貫通孔の内方へ傾斜する傾斜部を有することができる。
【００１３】
又、前記複数の発光素子は、長尺形状の基板ユニット上に配置され、前記基板ユニットは、当該基板ユニットの長尺方向が、前記貫通孔の長尺方向に沿うように、前記ロッドレンズユニットの挿入側と深さ方向反対側から前記貫通孔内に挿入され、前記ホルダーは前記基板ユニットを、前記基板ユニットの前記複数の発光素子が配置された側と前記ロッドレンズユニットとが前記貫通孔内において深さ方向に対向するように保持し、前記ホルダーにおける前記基板ユニットの保持は、前記基板ユニットが長尺方向両側の端部又は端部近傍において、前記貫通孔の短尺方向両側の壁と当接し、当接した両側の壁に押止されてなされていることとすることができる。
【００１４】
さらに、前記ホルダーは、弾性変形可能で、前記基板ユニットが前記反対側の貫通孔に挿入される前の状態における、当該反対側の貫通孔の形状は、紡錘形の長尺形状であり、前記基板ユニットの保持は、さらに、前記基板ユニットが長尺方向中央部において、前記反対側の貫通孔の短尺方向両側の壁と前記ホルダーが弾性変形された状態で当接し、当接した両側の壁により押止されてなされていることとすることができる。
【００１５】
さらに、  複数の発光素子と、各発光素子から発光された光を像担持体上に集光させる、長尺形状のロッドレンズユニットと、長尺形状の貫通孔を有し、前記貫通孔の長尺方向に前記ロッドレンズユニットの長尺方向が沿うように前記貫通孔内に前記ロッドレンズユニットを挿入した状態で前記ロッドレンズユニットを保持するホルダーと、を備え、前記ホルダーにおける保持は、前記ロッドレンズユニットが長尺方向における両端部又は両端部近傍において、前記貫通孔の短尺方向における両側の壁と当接し、当接した両側の壁に当該ロッドレンズユニットが押止されてなされている状態であり、前記複数の発光素子は、長尺形状の基板ユニット上に配置され、前記基板ユニットは、当該基板ユニットの長尺方向が、前記貫通孔の長尺方向に沿うように、前記ロッドレンズユニットの挿入側と深さ方向反対側から前記貫通孔内に挿入され、前記ホルダーは前記基板ユニットを、前記基板ユニットの前記複数の発光素子が配置された側と前記ロッドレンズユニットとが前記貫通孔内において深さ方向に対向するように保持し、前記ホルダーにおける前記基板ユニットの保持は、前記基板ユニットが長尺方向両側の端部又は端部近傍において、前記貫通孔の短尺方向両側の壁と当接し、当接した両側の壁に押止されてなされており、前記ホルダーは、弾性変形可能で、前記基板ユニットが前記反対側の貫通孔に挿入される前の状態における、当該反対側の貫通孔の形状は、紡錘形の長尺形状であり、前記基板ユニットの保持は、さらに、前記基板ユニットが長尺方向中央部において、前記反対側の貫通孔の短尺方向両側の壁と前記ホルダーが弾性変形された状態で当接し、当接した両側の壁により押止されてなされており、前記反対側の貫通孔は、長尺方向両端部の短尺方向の幅が、前記基板ユニットの短尺方向の幅と同一又は当該短尺方向の幅よりも狭く、前記基板ユニットの保持は、前記紡錘形の前記反対側の貫通孔の長尺方向中央部の短尺方向の幅が前記ホルダーの弾性変形により窄められた状態で、前記基板ユニットの長尺方向中央部及び長尺方向両端部が、それぞれ前記貫通孔の短尺方向両側の壁と当接し、当接した両側の壁に押止されてなされていることとすることができる。
【００１６】
又、前記基板ユニットは、前記複数の発光素子を含む光源基板と、光源基板全体を載せて固定する固定板と、を有し、前記基板ユニットは、前記光源基板により、前記貫通孔の短尺方向両側の壁と当接し、前記固定板は、前記ホルダーの外部に露出していることとすることができる。
さらに、複数の発光素子と、各発光素子から発光された光を像担持体上に集光させる、長尺形状のロッドレンズユニットと、長尺形状の貫通孔を有し、前記貫通孔の長尺方向に前記ロッドレンズユニットの長尺方向が沿うように前記貫通孔内に前記ロッドレンズユニットを挿入した状態で前記ロッドレンズユニットを保持するホルダーと、を備え、前記ホルダーにおける保持は、前記ロッドレンズユニットが長尺方向における両端部又は両端部近傍において、前記貫通孔の短尺方向における両側の壁と当接し、当接した両側の壁に当該ロッドレンズユニットが押止されてなされている状態であり、前記複数の発光素子は、長尺形状の基板ユニット上に配置され、前記基板ユニットは、当該基板ユニットの長尺方向が、前記貫通孔の長尺方向に沿うように、前記ロッドレンズユニットの挿入側と深さ方向反対側から前記貫通孔内に挿入され、前記ホルダーは前記基板ユニットを、前記基板ユニットの前記複数の発光素子が配置された側と前記ロッドレンズユニットとが前記貫通孔内において深さ方向に対向するように保持し、前記ホルダーにおける前記基板ユニットの保持は、前記基板ユニットが長尺方向両側の端部又は端部近傍において、前記貫通孔の短尺方向両側の壁と当接し、当接した両側の壁に押止されてなされており、前記基板ユニットは、前記複数の発光素子を含む光源基板と、光源基板全体を載せて固定する固定板と、を有し、前記基板ユニットは、前記光源基板により、前記貫通孔の短尺方向両側の壁と当接し、前記固定板は、前記ホルダーの外部に露出しており、前記ホルダーは、弾性変形可能で、前記基板ユニットが前記反対側の貫通孔に挿入される前の状態における、当該反対側の貫通孔の形状は、紡錘形の長尺形状であり、前記光源基板は、短尺方向の側面に配線部を有し、前記固定板は、前記光源基板の長尺方向中央部の短尺方向両側の側面とそれぞれ非接触に対向するように上方に延びて、前記貫通孔の短尺方向両側の壁と前記光源基板の配線部が配置された側面とが当接しないように規制する規制部材を有し、前記保持は、さらに、前記光源基板が長尺方向中央部において、前記反対側の貫通孔の短尺方向両側の壁と前記規制部材とが前記ホルダーが弾性変形された状態で当接された状態とすることができる。
【００１７】
又、前記基板ユニットが当接する前記両側の壁は、前記貫通孔の内方に突設していることとすることができる。又、前記ロッドレンズユニットは、長尺形状の、ロッドレンズアレイと、保護部材とから構成され、前記ロッドレンズユニットは、ロッドレンズアレイの短尺方向両側が保護部材で挟持された状態で前記貫通孔内に挿入され、前記保護部材を介して前記貫通孔の短尺方向両側の壁と当接することとすることができる。
【００１８】
又、複数の発光素子と、各発光素子から発光された光を像担持体上に集光させる、長尺形状のロッドレンズユニットと、長尺形状の貫通孔を有し、前記貫通孔の長尺方向に前記ロッドレンズユニットの長尺方向が沿うように前記貫通孔内に前記ロッドレンズユニットを挿入した状態で前記ロッドレンズユニットを保持するホルダーと、を備え、前記ホルダーにおける保持は、前記ロッドレンズユニットが長尺方向における両端部又は両端部近傍において、前記貫通孔の短尺方向における両側の壁と当接し、当接した両側の壁に当該ロッドレンズユニットが押止されてなされている状態であり、前記ホルダーは、弾性変形可能で、前記ロッドレンズユニットが前記貫通孔に挿入される前の状態における、前記貫通孔は、紡錘形の長尺形状であり、前記保持は、前記ロッドレンズユニットが、さらに、長尺方向における中央部において、前記貫通孔の短尺方向における両側の壁と前記ホルダーが弾性変形された状態で当接し、当接した両側の壁に押止されてなされている状態であり、前記ロッドレンズユニットの長尺方向中央部と当接する前記貫通孔の短尺方向両側の壁が押圧具で押止されていることとすることができる。又、本発明に係る画像形成装置は、前記光書込み装置を備えることとすることができる。
【００１９】
又、本発明に係るロッドレンズユニットの保持方法は、複数の発光素子のそれぞれから発光された光を像担持体上に集光させる長尺形状のロッドレンズユニットを、前記ロッドレンズユニットを保持する前の状態において紡錘形で長尺形状の貫通孔を有する弾性変形可能なホルダーによって保持する保持方法であって、前記貫通孔の長尺方向に前記ロッドレンズユニットの長尺方向が沿うように前記貫通孔内に前記ロッドレンズユニットを挿入した状態において、前記ホルダーの長尺方向における中央部において短尺方向における両外側に力を加えて、前記ホルダーを弾性変形させることによって、前記ロッドレンズユニットが長尺方向における両端部又は両端部近傍において、前記貫通孔の短尺方向における両側の壁と当接し、当接した両側の壁に当該ロッドレンズユニットが押止されている状態になるように、前記ロッドレンズユニットを保持し、前記ロッドレンズユニットが、さらに、長尺方向における中央部において、前記貫通孔の短尺方向における両側の壁と前記ホルダーが弾性変形された状態で当接し、当接した両側の壁に押止されてなされている状態で保持し、前記貫通孔は、前記ロッドレンズユニットが挿入されていない状態で、長尺方向における両端部の短尺方向の幅が、前記ロッドレンズユニットの短尺方向の幅と同一又は当該短尺方向の幅よりも狭く、前記紡錘形の貫通孔の長尺方向中央部の短尺方向の幅が前記ホルダーの弾性変形により窄められた状態で、前記ロッドレンズユニットの長尺方向中央部及び長尺方向における両端部が、それぞれ前記貫通孔の短尺方向における両側の壁と当接し、当接した両側の壁に押止されてなされている状態で保持すれば好適である。
【発明の効果】
【００２０】
上記構成を備えることにより、ロッドレンズユニットが、長尺方向両側の端部又は端部近傍において、貫通孔の短尺方向両側の壁と当接して当接した両側の壁に押止されてホルダーに保持されるので、ロッドレンズユニットがホルダーに保持された後、貫通孔の幅方向（短尺方向）に回転して発光素子とロッドレンズアレイとの間の相対位置がずれてしまい、画質劣化が生じるのを防止することができる。
【図面の簡単な説明】
【００２１】
【図１】画像形成装置の主要な構成を示す図である。
【図２】光書込み装置１００の分解斜視図を示す。
【図３】第２筐体部２０３Ｂ側から見たホルダー２０３の斜視図を示す。
【図４】光書込み装置１００が感光体ドラム１１０に光書込みを行う様子を示す模式図である。
【図５】ホルダー２０３へのロッドレンズアレイ２０２の保持工程を示す平面図及び断面図である。
【図６】ホルダー２０３への光源基板２０１の保持工程を示す平面図及び断面図である。
【図７】ホルダー２０３へのロッドレンズアレイ２０２の保持工程の第１の変形例を示す平面図である。
【図８】光源基板ユニット２０１Ａの斜視図を示す。
【図９】第２筺体部２０３Ｂへの光源基板ユニット２０１Ａの保持工程を示す平面図及び断面図である。
【図１０】ホルダー２０３へのロッドレンズアレイ２０２の保持工程の第２の変形例を示す平面図である。
【図１１】ホルダー２０３へのロッドレンズアレイ２０２の保持工程の第３の変形例を示す平面図である。
【図１２】ホルダー２０３へのロッドレンズアレイ２０２の保持工程の第４の変形例を示す平面図である。
【図１３】突設された壁２０３ＡＡ３の深さ方向の断面図を示す。
【図１４】ロッドレンズアレイ２０２を保護部材２０２１で挟持させた状態で第１筐体部２０３Ａに保持した状態を示す平面図である。
【図１５】押圧具を用いてロッドレンズアレイ２０２が、第１筐体部２０３Ａに保持された状態を示す平面図及び断面図である。
【図１６】光源基板２０１が、ホルダー内に薄層接着されて保持された状態を示す深さ方向の断面図である。
【図１７】従来技術によりロッドレンズアレイ２００２がホルダー２００１に保持された状態を示す平面図である。
【発明を実施するための形態】
【００２２】
以下、本発明に係る光書込み装置、画像形成装置及びロッドレンズユニットの保持方法の実施の形態について、図面を参照しながら説明する。
［１］画像形成装置の構成
まず、本発明の実施形態に係る画像形成装置の構成について説明する。
図１は、本実施形態に係る画像形成装置の主要な構成を示す図である。図１に示されるように、画像形成装置１は、所謂タンデム型のカラープリンター装置である。画像形成装置１が備える作像部１０１Ｙ〜１０１Ｋは、制御部１０２の制御の下、Ｙ（イエロー）、Ｍ（マゼンタ）、Ｃ（シアン）、Ｋ（ブラック）各色のトナー像を形成する。
【００２３】
例えば、作像部１０１Ｙにおいて、帯電装置１１１は感光体ドラム１１０の外周面を一様に帯電させる。光書込み装置１００は、後述のように、主走査方向にライン状に配列された発光素子（有機ＥＬ素子。OLED: Organic Light Emitting Diode）を備えており、制御部１０２が生成したデジタル輝度信号に従って各ＯＬＥＤを発光させる。これによって、感光体ドラム１１０の外周面に光書込みが行われ、静電潜像が形成される。
【００２４】
現像装置１１２は、感光体ドラム１１０の外周面にトナーを供給して、静電潜像を現像（顕像化）する。１次転写ローラー１１３は、感光体ドラム１１０から中間転写ベルト１０３へトナー像を静電転写（１次転写）する。
同様にして、作像部１０１Ｍ〜１０１Ｋが形成したＭ、Ｃ、Ｋの各色のトナー像が互いに重なり合うように中間転写ベルト１０３上に１次転写され、カラートナー像となる。そして中間転写ベルト１０３によってカラートナー像が２次転写ローラー対１０４まで搬送されるのに合わせて、給紙カセット１０５から供給された記録シートＳも２次転写ローラー対１０４まで搬送される。
【００２５】
２次転写ローラー対１０４は、中間転写ベルト１０３上のトナー像を記録シートＳ上に静電転写（２次転写）する。トナー像を転写された記録シートＳは、定着装置１０６でトナー像を熱定着した後、機外に排出される。
［２］光書込み装置１００の構成
次に、光書込み装置１００の構成について説明する。図２は、光書込み装置１００の分解斜視図を示す。光書込み装置１００は、同図に示すように、複数のＯＬＥＤ２０１１やＯＬＥＤ２０１１を発光させる駆動回路等を実装した光源基板２０１と、ロッドレンズアレイ（SELFOC Lens Array。SELFOCは日本板硝子株式会社の登録商標。）２０２と、光源基板２０１とロッドレンズアレイ２０２を保持するホルダー２０３と、を備える。
【００２６】
光源基板２０１には、多数のＯＬＥＤ２０１１が主走査方向（同図の点線矢印Ａ方向）に沿ってライン状に配列されている。これらのＯＬＥＤは、一列に配列されていても良いし、千鳥配置にされていても良い。
ロッドレンズアレイ２０２は、複数のロッドレンズ２０２０が複数列配置されて構成される長尺形状のロッドレンズユニットである。ロッドレンズアレイ２０２は、ＯＬＥＤの配列方向（Ａ方向）と略平行になるようにホルダー２０３に保持される。各ロッドレンズ２０２０は、中心軸（光軸）での屈折率が低く、中心軸から離れるに従って屈折率が高くなるように構成されている。
【００２７】
ホルダー２０３は、ロッドレンズアレイ２０２を保持する第１筐体部２０３Ａと、光源基板２０１を保持する第２筐体部２０３Ｂとから構成され、両筐体部を深さ方向（点線矢印Ｂ方向）に貫通する長尺形状の貫通孔２０３１を有する。ホルダー２０３は、弾性変形可能な樹脂材料（例えば、液晶ポリマー）で構成され、貫通孔２０３１は、図２及び図３（第２筐体部２０３Ｂ側から見たホルダー２０３の斜視図）に示すように、深さ方向の両端部側の形状が、中央部が長尺方向と直交する短尺方向（副走査方向）の外方に膨らみ、長尺方向の端部側が内方に窄んだ紡錘形の長尺形状をしている。
【００２８】
ロッドレンズアレイ２０２は、点線矢印Ｃで示すように、貫通孔２０３１の深さ方向の一方の端部（第１筐体部２０３Ａ側の端部）から貫通孔２０３１内に挿入され、光源基板２０１は、点線矢印Ｄで示すように、貫通孔２０３１の深さ方向の他方（ロッドレンズアレイ２０２の挿入側と深さ方向反対側）の端部（第２筐体部２０３Ｂ側の端部）から貫通孔２０３１内に挿入されて後述する保持方法（後述する図５、図６参照）により、それぞれホルダー２０３に保持される。貫通孔２０３１の第１筐体部２０３Ａ側の端部の平面形状の大きさは、ロッドレンズアレイ２０２の挿入方向の平面形状の大きさより大きく、貫通孔２０３１の第２筐体部２０３Ｂ側の端部の平面形状の大きさは、光源基板２０１の挿入方向の平面形状の大きさより大きく、ロッドレンズアレイ２０２及び光源基板２０１がそれぞれ、挿入時にホルダー２０３と接触しないように構成されている。
【００２９】
図４は、光書込み装置１００が感光体ドラム１１０に光書込みを行う様子を示す模式図である。同図に示すように、光書込み装置１００は、ホルダー２０３に光源基板２０１と、ロッドレンズアレイ２０２を保持し、光源基板２０１上に配列されたＯＬＥＤ２０１１が出射した光ビームＬは、ロッドレンズアレイ２０２によって感光体ドラム１１０の外周面上に集光される。
【００３０】
図５（ａ）、（ｂ）、（ｄ）は、ホルダー２０３へのロッドレンズアレイ２０２の保持工程を示す平面図である。図５（ｃ）は、図５（ｂ）のＡ−Ａ線に沿った断面図である。図５（ａ）に示すように、ロッドレンズアレイ２０２の長尺方向が、貫通孔２０３１の長尺方向に沿うように、第１筐体部２０３Ａ側からロッドレンズアレイ２０２を、貫通孔２０３１内への挿入深さが、所定の深さになるまで貫通孔２０３１内に挿入し、不図示の治具で固定する。又、貫通孔２０３１の長尺方向両端部の短尺方向の幅（ｃ）は、ロッドレンズアレイ２０２の短尺方向の幅（ｄ）以下（ｃ≦ｄ）である。
【００３１】
次に、ロッドレンズアレイ２０２の長尺方向中央部と短尺方向に対向する第１筐体部２０３Ａの両側の壁を短尺方向内方（図５（ａ）の矢印Ａ１、Ａ２で示す方向）へ押し込み、図５（ｂ）に示すように、当該両側の壁とロッドレンズアレイ２０２の長尺方向中央部とを当接させた状態で、図５（ｃ）に示すように、接着剤（例えば、紫外線硬化型接着剤）２０４を当該両側の壁の上面と当該長尺方向中央部の露出部分の両側面とに跨るように塗布して上面と露出部分とを接着し、当該長尺方向中央部が、上記両側の壁で押止されるようにする。そして、上記長尺方向中央部が上記両側の壁で押止されることにより、ロッドレンズアレイ２０２を挟んで短尺方向に対向する第１筐体部２０３Ａの両側の壁が貫通孔２０３１の内方側に押されてロッドレンズアレイ２０２の長尺方向両端部と当接し、当該長尺方向両端部が上記両側の壁で押止される。
【００３２】
次に、図５（ｄ）に示すように、接着剤２０４を、ロッドレンズアレイ２０２の長尺方向両端部近傍部分と短尺方向に対向する第１筐体部２０３Ａの両側の壁の上面と当該近傍部分の露出部分の両側面とに跨るように塗布して当該近傍部分の露出部分と上記両側の壁の上面とを接着し、第１筐体部２０３Ａへのロッドレンズアレイ２０２の保持力を補強する。なお、図５（ｄ）の場合に比べ、保持力は弱くなるが、上記露出部分と上記両側の壁の上面との接着を行わず、図５（ｂ）に示す状態でロッドレンズアレイ２０２を第１筐体部２０３Ａへ保持することとしてもよい。
【００３３】
光源基板２０１についても図６（ａ）〜（ｄ）に示すように、上記のロッドレンズアレイ２０２の保持方法と同様にして、光源基板２０１がホルダー２０３（第２筺体部２０３Ｂ）に保持される。図６（ａ）、（ｂ）、（ｄ）は、ホルダー２０３への光源基板２０１の保持工程を示す平面図である。図６（ｃ）は、図６（ｂ）のＢ−Ｂ線に沿った断面図である。
【００３４】
光源基板２０１は、第２筐体部２０３Ｂ側から、ホルダー２０３内に保持されたロッドレンズアレイ２０２との貫通孔２０３１の深さ方向の距離が適正な距離（予め製造者側で定めた基準となる距離）になるように貫通孔２０３１内に挿入されて不図示の治具で固定された後（図６（ａ）参照、第２筐体部２０３Ｂ側の貫通孔２０３１の長尺方向両端部の短尺方向の幅ｃｃは、光源基板２０１の短尺方向の幅ｄｄ以下（ｃｃ≦ｄｄ）である。）、光源基板２０１の長尺方向中央部と短尺方向に対向する第２筐体部２０３Ｂの両側の壁が短尺方向内方（図６（ａ）の矢印Ｂ１、Ｂ２で示す方向）へ押し込まれ、光源基板２０１の長尺方向中央部及び両端部が、それらと短尺方向に対向する第２筐体部２０３Ｂの両側の壁と当接した状態で両側の壁で押止される（図６（ｂ）、（ｃ）参照）。
【００３５】
図６（ｃ）に示すように、光源基板２０１の長尺方向中央部の第２筐体部２０３Ｂの両側の壁への接着は、接着剤２０４を当該両側の壁の側面と当該長尺方向中央部の外方に臨む下面（ＯＬＥＤ２０１１が配列されていない側の面）とに跨るように塗布することにより、行われる。
そして、図６（ｄ）に示すように、光源基板２０１の長尺方向両端部近傍部分と短尺方向に対向する第２筐体部２０３Ｂの両側の壁の側面と当該近傍部分の外方に臨む下面とに跨るように塗布することにより、当該両側の壁と当該近傍部分の外方に臨む下面とが接着されて第２筐体部２０３Ｂへの光源基板２０１の保持力が補強される。なお、ロッドレンズアレイ２０２の保持の場合と同様に、図６（ｄ）の接着を行わず、図６（ｂ）に示す状態で光源基板２０１を第２筐体部２０３Ｂへ保持することとしてもよい。
【００３６】
上記のようにして、光源基板２０１及びロッドレンズアレイ２０２が、ホルダー２０３に保持されることにより、それらの長尺方向両端部が、それらと短尺方向に対向する貫通孔２０３１の両側の壁と当接して押止されるので、光源基板２０１とロッドレンズアレイ２０２とをホルダー２０３に保持した後、それらが貫通孔２０３１の幅方向（短尺方向）に回転して発光素子（ＯＬＥＤ２０１１）とロッドレンズアレイ２０２との間の相対位置がずれてしまい、画質劣化が生じるのを防止することができる。
【００３７】
［３］変形例
以上、本発明を実施の形態に基づいて説明してきたが、本発明が上記の実施の形態に限定されないのは勿論であり、以下のような変形例を実施することができる。
（１）上記実施の形態では、貫通孔２０３１を形成する壁を平坦な壁としたが、ロッドレンズアレイ２０２、光源基板２０１と当接する部分の壁を貫通孔２０３１の短尺方向内方側に突設させた構成としてもよい。
【００３８】
図７（ａ）、（ｂ）は、ホルダー２０３へのロッドレンズアレイ２０２の保持工程の変形例を示す平面図である。図７（ｃ）は、図７（ｂ）のＣ−Ｃ線に沿った断面図である。上記実施形態の図５（ａ）と同様にしてロッドレンズアレイ２０２を貫通孔２０３１内への挿入深さが、所定の深さになるまで貫通孔２０３１内に挿入し、不図示の治具で固定する。
【００３９】
なお、本変形例では、当接部のホルダー２０３の壁が貫通孔２０３１の短尺方向内方側に突設されているので、貫通孔２０３１の長尺方向両端部の短尺方向の幅ｃが、ロッドレンズアレイ２０２の短尺方向の幅ｄ以下（ｃ≦ｄ）である必要はなく、ｃ＞ｄであっても、ロッドレンズアレイ２０２の長尺方向中央部及び両端部近傍領域が、それらと短尺方向に対向する第２筐体部２０３Ｂの両側の突設された壁（２０３１Ａ、２０３２Ａ）で押止されるように構成することができる。
【００４０】
次に、ロッドレンズアレイ２０２の長尺方向中央部と短尺方向に対向する第１筐体部２０３Ａの両側の突設された壁２０３１Ａを短尺方向内方（図７（ａ）の矢印Ｃ１、Ｃ２で示す方向）へ押し込み、図７（ｂ）に示すように、当該両側の突設された壁２０３１Ａとロッドレンズアレイ２０２の長尺方向中央部とを当接させるとともに、ロッドレンズアレイ２０２の長尺方向両端部近傍領域と短尺方向に対向する第１筐体部２０３Ａの両側の突設された壁２０３２Ａとを当接させる。そして、図７（ｂ）、（ｃ）に示すように、接着剤２０４を第１筐体部２０３Ａの両側の突設された壁２０３１Ａの上面とロッドレンズアレイ２０２の長尺方向中央部の露出部分の両側面とに跨るように塗布して上面と露出部分とを接着し、当該長尺方向中央部が上記両側の突設された壁２０３１Ａで押止されるようにするとともに、ロッドレンズアレイ２０２の長尺方向両端部近傍領域が上記両側の突設された壁２０３２Ａで押止されるようにする。ここでは、長尺方向両端部近傍領域は、長尺方向中央部と長尺方向端部との間の中間地点よりも端部側の領域とする。以下についても同様とする。
【００４１】
又、図示は省略するが、第２筐体部２０３Ｂの構成も、本変形例の第１筐体部２０３Ａの構成と同様に、当接部の壁が貫通孔２０３１の短尺方向内方側に突設された構成として、本変形例のロッドレンズアレイ２０２の保持方法と同様の保持方法により光源基板２０１の長尺方向中央部及び両端部近傍領域が、それらと短尺方向に対向する第２筐体部２０３Ｂの両側の突設された壁で押止されるように構成することとしてもよい。
【００４２】
又、光源基板２０１の短尺方向の両側面に電源線等の配線部が形成されている場合には、両側面が第２筺体部２０３Ｂの壁と当接してしまうと、配線部が損傷される可能性があるので、このような光源基板２０１の第２筺体部２０３Ｂへの保持の場合には、両側面が第２筺体部２０３Ｂの壁と当接しないように、第２筺体部２０３Ｂの、光源基板２０１の長尺方向中央部と短尺方向に対向する両側の壁を突設しないように構成することとしてもよい。
【００４３】
図８は、本変形例の光源基板ユニット２０１Ａの斜視図を示す。同図に示すように、光源基板ユニット２０１Ａは、主面にＯＬＥＤ２０１１が配列され、短尺方向の両側面に配線部２０１０を有する光源基板２０１と光源基板２０１を固定する固定板２０１２と、固定板２０１２から光源基板２０１の長尺方向中央部の短尺方向両側の側面と非接触に対向するように上方に延びる規制部材２０１３とから構成される。固定板２０１２は、例えば、放熱性の高いアルミニウム、銅等の金属板で構成することができる。これにより、光源基板２０１のＯＬＥＤ２０１１が点灯することにより発生する熱を、固定板２０１２を介して効率よく放熱させることができる。
【００４４】
図９（ａ）、（ｂ）は、第２筺体部２０３Ｂへの光源基板ユニット２０１Ａの保持工程を示す平面図である。図９（ａ）、（ｂ）では、説明の便宜上、固定板２０１２を点線で示している。図９（ｃ）は、図９（ｂ）のＤ−Ｄ線に沿った断面図である。
上記の構成の場合には、図９（ａ）に示すように、光源基板２０１の長尺方向中央部と短尺方向に対向する第２筐体部２０３Ｂの両側の壁が短尺方向内方（矢印Ｄ１、Ｄ２で示す方向）へ押し込まれると、図９（ｂ）、（ｃ）に示すように、押し込まれた両側の壁と規制部材２０１３とが当接し、規制部材２０１３により両側の壁と光源基板２０１の配線部２０１０が配置された側面とが当接しないように規制される。
【００４５】
そして、押し込まれた両側の壁と規制部材２０１３とが当接した状態で、図９（ｂ）、（ｃ）に示すように、接着剤２０４で固定板２０１２と第２筐体部２０３Ｂとを接着することにより、光源基板２０１の長手方向両端部近傍が、第２筐体部２０３Ｂの両側の突設された壁２０３１Ｂ、２０３２Ｂと当接した状態で突設された両側の壁２０３１Ｂ、２０３２Ｂで押止される。
【００４６】
これにより、光源基板２０１の短尺方向の両側面に電源線等の配線部２０１０が形成されている場合に、規制部材２０１３により上記両側の壁と光源基板２０１の配線部２０１０が配置された側面とが当接しないように規制され、配線部が損傷されないようにすることができる。
（２）図１０（ａ）、（ｂ）は、ホルダー２０３へのロッドレンズアレイ２０２の保持工程の別の変形例を示す平面図である。本変形例では、図１０（ａ）に示すように、貫通孔２０３１の短尺方向両側の第１筐体部２０３Ａの壁の厚みが異なり、一方の壁（図１０（ａ）の上側の壁２０３Ａ１）の厚み（ｅ１）が、もう一方の壁（図１０（ａ）の下側の壁２０３Ａ２）の厚み（ｅ２）よりも薄く（ｅ１＜ｅ２）なるように構成されている。そして、壁２０３Ａ１は、長尺方向両端部から長尺方向中央部に向かうに従って外方に膨らんだ弓型形状をしており、壁２０３Ａ２は、長尺方向に略直線状に延伸している。
【００４７】
又、貫通孔２０３１の短尺方向の幅は、長尺方向中央部が膨らみ、長尺方向中央部から長尺方向端部側に向かうに従って窄まっており、当該幅は、当該長尺方向端部近傍の、ロッドレンズアレイ２０２の長尺方向両端部が挿入される領域において、ロッドレンズアレイ２０２の短尺方向の幅（ｄ）よりも狭くなっている。
ロッドレンズアレイ２０２の長尺方向が、貫通孔２０３１の長尺方向に沿うように、第１筐体部２０３Ａ側からロッドレンズアレイ２０２を、貫通孔２０３１内への挿入深さが、所定の深さになるまで貫通孔２０３１内に押し込むように挿入すると、ロッドレンズアレイ２０２の長尺方向両端部においてロッドレンズアレイ２０２を挟んで短尺方向に対向する両側の壁（２０３Ａ１、２０３Ａ２）間の距離が弾性変形により（ここでは、主として厚みが薄く、剛性が低い方の壁２０３Ａ１の弾性変形により）押し広げられた状態で、ロッドレンズアレイ２０２の長尺方向両端部と上記両側の壁２０３Ａ１、２０３Ａ２とが当接し、上記弾性変形により生じる弾性反力により、上記両側の壁で押止される（図１０（ｂ）参照）。
【００４８】
又、剛性が高い方の壁２０３Ａ２の厚みを弾性変形がほとんど起こらない適切な厚みとすることにより、図１０（ｂ）に示すように、ロッドレンズアレイ２０２の、壁２０３Ａ２と対向する部分全体を壁２０３Ａ２と当接させることができる。
又、図示は省略するが、第２筐体部２０３Ｂの構成も、本変形例の第１筐体部２０３Ａの構成と同様の構成とし、本変形例のロッドレンズアレイ２０２の保持方法と同様の保持方法により光源基板２０１を、その長尺方向両端部において光源基板２０１を挟んで短尺方向に対向する厚みが異なる両側の壁と当接させ、光源基板２０１の長尺方向両端部が、弾性反力により当該両側の壁で押止されるように構成することとしてもよい。この場合も、ロッドレンズアレイ２０２の場合と同様に、光源基板２０１の、厚みが厚い方の壁と対向する部分全体を当該壁と当接させることができる。
【００４９】
これにより、接着剤を用いることなく、簡易にロッドレンズアレイ２０２、光源基板２０１をホルダー２０３に保持させることができる。又、ホルダー２０３との当接面積を広くすることができるので、その分、安定した状態でロッドレンズアレイ２０２、光源基板２０１をホルダー２０３に保持させることができる。
（３）（２）の変形例において、ロッドレンズアレイ２０２及び光源基板２０１と当接する部分の壁を貫通孔２０３１の短尺方向内方側に突設させた構成としてもよい。図１１（ａ）、（ｂ）は、ホルダー２０３へのロッドレンズアレイ２０２の保持工程の別の変形例を示す平面図である。図１１（ｃ）は、図１１（ｂ）のＥ−Ｅ線に沿った断面図である。図１１（ａ）、（ｂ）に示すように、ロッドレンズアレイ２０２の長尺方向両端部近傍領域においてロッドレンズアレイ２０２と当接する部分の第１筐体部２０３Ａの両側の壁２０３Ａ３、２０３Ａ４が突設されている。これらの突設された壁２０３Ａ３、２０３Ａ４間の短尺方向の距離（ａ１）は、ロッドレンズアレイ２０２の短尺方向の幅（ｄ）よりも狭くなっている（ａ１＜ｄ）。
【００５０】
又、壁の突設部分を、図１１（ｃ）に示すように、壁２０３Ａ４の深さ方向（Ｂ方向）の長さが壁２０３Ａ３の深さ方向の長さより長くなるように構成し、両者の深さ方向の中止位置が略一致するように構成することができる。このようにすることで、ロッドレンズアレイ２０２が紙面垂直方向を中心軸として回転しないようにロッドレンズアレイ２０２をホルダー２０３に安定に保持させることができる。
【００５１】
ロッドレンズアレイ２０２の長尺方向が、貫通孔２０３１の長尺方向に沿うように、第１筐体部２０３Ａ側からロッドレンズアレイ２０２を、貫通孔２０３１内への挿入深さが、所定の深さになるまで貫通孔２０３１内に押し込むように挿入すると、ロッドレンズアレイ２０２の長尺方向両端部近傍領域においてロッドレンズアレイ２０２を挟んで短尺方向に対向する両側の突設された壁（２０３Ａ３、２０３Ａ４）間の距離が弾性変形により（ここでは、主として厚みが薄く、剛性が低い方の壁２０３Ａ１の弾性変形により）押し広げられた状態で、ロッドレンズアレイ２０２の長尺方向両端部近傍領域と上記両側の突設された壁２０３Ａ３、２０３Ａ４とが当接し、上記長尺方向両端部近傍領域が上記弾性変形により生じる弾性反力により、上記両側の突設された壁２０３Ａ３、２０３Ａ４で押止される（図１１（ｂ）参照）。
【００５２】
又、図示は省略するが、第２筐体部２０３Ｂの構成も、本変形例の第１筐体部２０３Ａの構成と同様の構成とし、本変形例のロッドレンズアレイ２０２の保持方法と同様の保持方法により光源基板２０１を、その長尺方向両端部近傍領域において光源基板２０１を挟んで短尺方向に対向する両側の突設された壁と当接させ、光源基板２０１の長尺方向両端部近傍領域が、弾性反力により当該両側の突設された壁で押止されるように構成することとしてもよい。
【００５３】
（４）図１２（ａ）、（ｂ）は、ホルダー２０３へのロッドレンズアレイ２０２の保持工程の別の変形例を示す平面図である。本変形例では、両図に示すように、ロッドレンズアレイ２０２と当接する部分の第１筐体部２０３Ａの壁が貫通孔２０３１の短尺方向内方側に突設されており、突設部分より長尺方向端部側の壁２０３ＡＡ１の厚み（ｅ３）が、突設部分より長尺方向中央部側の壁２０３ＡＡ２の厚み（ｅ４）より薄くなっている（ｅ３＜ｅ４）。そして、これらの突設された壁２０３ＡＡ３間の短尺方向の距離（ａ２）は、ロッドレンズアレイ２０２の短尺方向の幅（ｄ）よりも狭くなっている（ａ２＜ｄ）。
【００５４】
ロッドレンズアレイ２０２の長尺方向が、貫通孔２０３１の長尺方向に沿うように、第１筐体部２０３Ａ側からロッドレンズアレイ２０２を、貫通孔２０３１内への挿入深さが、所定の深さになるまで貫通孔２０３１内に押し込むように挿入すると、ロッドレンズアレイ２０２の長尺方向両端部近傍領域においてロッドレンズアレイ２０２を挟んで短尺方向に対向する両側の突設された壁（２０３ＡＡ３）間の距離が弾性変形により（ここでは、主として厚みが薄く、剛性が低い方の壁２０３ＡＡ１の弾性変形により）押し広げられた状態で、ロッドレンズアレイ２０２の長尺方向両端部近傍領域と上記両側の突設された壁２０３ＡＡ３とが当接し、上記長尺方向両端部近傍領域が上記弾性変形により生じる弾性反力により、上記両側の突設された壁２０３ＡＡ３で押止される（図１２（ｂ）参照）。
【００５５】
又、図１３に示すように、上記両側の突設された壁２０３ＡＡ３に、ロッドレンズアレイ２０２が挿入される方向（点線矢印Ｃ方向）に貫通孔２０３１の深さが深くなるに従って上記両側の壁２０３ＡＡ３間の短尺方向の幅が狭くなるように貫通孔２０３１の内方へ傾斜する傾斜部２０３ＡＡ３０を設けることとしてもよい。
これにより、上記保持工程においてロッドレンズアレイ２０２を、傾斜部２０３ＡＡ３０を介して容易に当接部位へ導き、ホルダー２０３に保持させることができる。
【００５６】
なお、（３）の変形例の第１筐体部２０３Ａ、第２筐体部２０３Ｂの突設された壁にも上記傾斜部を設けることとしてもよい。
又、図示は省略するが、第２筐体部２０３Ｂの構成も、本変形例の第１筐体部２０３Ａの構成と同様の構成とし、本変形例のロッドレンズアレイ２０２の保持方法と同様の保持方法により光源基板２０１を、その長尺方向両端部近傍領域において光源基板２０１を挟んで短尺方向に対向する両側の突設された壁と当接させ、光源基板２０１の長尺方向両端部近傍領域が、弾性反力により当該両側の突設された壁で押止されるように構成することとしてもよい。又、同様に、上記両側の突設された壁に上記傾斜部を設けることとしてもよい。
【００５７】
（５）上記実施形態では、ロッドレンズアレイ２０２を第１筐体部２０３Ａの両側の壁と直接当接させてホルダー２０３に保持させることとしたが、ロッドレンズユニットを、ロッドレンズアレイ２０２と保護部材２０２１とから構成し、ロッドレンズアレイ２０２を保護部材で挟持させた状態でロッドレンズユニットをホルダー２０３（第１筐体部２０３Ａ）に保持させることとしてもよい。具体的には、図１４に示すように、ロッドレンズアレイ２０２の短尺方向両側の側面が、保護部材２０２１で挟持された状態で第１筐体部２０３Ａに保持されるように構成することとしてもよい。
【００５８】
これにより、ロッドレンズアレイ２０２と第１筐体部２０３Ａの壁とが直接当接しないようにホルダー２０３に保持することができ、ロッドレンズアレイ２０２を保護して損傷を受けにくくすることができる。
又、（１）〜（４）の変形例においても同様に、ロッドレンズアレイ２０２の短尺方向両側の側面が、保護部材２０２１で挟持された状態で第１筐体部２０３Ａに保持されるように構成することとしてもよい。
【００５９】
（６）上記実施形態及び（１）の変形例では、ロッドレンズアレイ２０２、光源基板２０１の長尺方向中央部とホルダー２０３とを接着剤２０４で接着させて上記長尺方向中央部をホルダー２０３の両側の壁で押止することとしたが、接着剤の代わりに押圧具を用いて押止するように構成することとしてもよい。
図１５（ａ）は、押圧具を用いてロッドレンズアレイ２０２が、第１筐体部２０３Ａに保持された状態を示す平面図である。図１５（ｂ）は、図１５（ａ）のＡ'−Ａ'線に沿った断面図である。両図に示すように、ロッドレンズアレイ２０２の長尺方向中央部と短尺方向に対向する第１筐体部２０３Ａの両側の壁が、押圧部材２０４Ａ、２０４Ｂにより内方へ押圧されることにより、ロッドレンズアレイ２０２の長尺方向中央部が、上記両側の壁で押止されている。
【００６０】
押圧部材２０４Ａとしては、例えば、スプリング等から構成される付勢部材を用いることができる。又、押圧部材２０４Ｂとしては、例えば、止めネジを用いることができる。
押圧部材２０４Ｂ（止めネジ）を矢印Ｆ方向にねじ込むことにより、押圧部材２０４Ａ（付勢部材）のスプリングが弾性変形してその反力により押圧部材２０４Ａと当接する第１筐体部２０３Ａの壁が矢印Ｇ方向へ付勢され、これにより、ロッドレンズアレイ２０２の長尺方向中央部が、短尺方向両側の第１筐体部２０３Ａの壁に押止されるようにすることができる。
【００６１】
なお、押圧具は、上記部材に限定されるものではなく、ロッドレンズアレイ２０２を上記両側の壁で押止されるようにすることができるものであれば、他の部材であってもよい。
又、光源基板２０１についても、上記と同様にして、接着剤の代わりに押圧具を用いて押止することとしてもよい。
【００６２】
（７）又、光源基板２０１については、上記実施形態及び（１）〜（４）の変形例のように、第２筐体部２０３Ｂの短尺方向両側の壁と当接させて保持する代わりに、（１）の変形例のように、光源基板２０１を固定板２０１２に固定して光源基板２０１を第２筐体部２０３Ｂ側から貫通孔２０３１内に挿入した後、固定板２０１２と第２筐体部２０３Ｂとを接着剤で薄層接着してホルダー２０３内に光源基板２０１を保持することとしてもよい。
【００６３】
この場合には、光源基板２０１を第２筐体部２０３Ｂの短尺方向両側の壁と当接させなくても、光源基板２０１は、ＯＬＥＤ２０１１が配列されていない側の主面全体が固定板２０１２上に固定されているので、保持後に光源基板２０１が貫通孔２０３１の幅方向（短尺方向）に回転するおそれがなく、ロッドレンズアレイ２０２に対して相対位置がずれにくい。
【００６４】
又、図１６に示すように、光源基板２０１のＯＬＥＤ２０１１が配列されている側の主面の短尺方向両端部と、ホルダー２０３の段差部２０３Ｃとを接着剤２０４で薄層接着してホルダー２０３内に光源基板２０１を保持することとしてもよい。この場合も光源基板２０１の短尺方向両端部全体が段差部２０３Ｃと薄層接着されるので、光源基板２０１を第２筐体部２０３Ｂの短尺方向両側の壁と当接させなくても、保持後に光源基板２０１が貫通孔２０３１の幅方向（短尺方向）に回転するおそれがなく、ロッドレンズアレイ２０２に対して相対位置がずれにくい。
【００６５】
（８）又、本発明は、上述のようにしてホルダー２０３を用いてロッドレンズユニット（ロッドレンズアレイ２０２）を保持するロッドレンズユニットの保持方法としてよく、この場合においても上記のような効果を奏することができる。
【産業上の利用可能性】
【００６６】
本発明は、光書込み装置、当該光書込み装置を備える画像形成装置及びロッドレンズユニットの保持方法に関し、特に、発光素子から照射された光を像担持体上に集光させるロッドレンズユニットを光書込み装置に保持するとして利用できる。
【符号の説明】
【００６７】
１………画像形成装置
１００……光書込み装置
１１０……感光体ドラム
２０１……光源基板
２０１Ａ…光源基板ユニット
２０２……ロッドレンズアレイ
２０３……ホルダー
２０３Ａ…第１筐体部
２０３Ｂ…第２筐体部
２０４……接着剤
２０３１…貫通孔
【図１】
0006672930.tif 000002
【図２】
0006672930.tif 000003
【図３】
0006672930.tif 000004
【図４】
0006672930.tif 000005
【図５】
0006672930.tif 000006
【図６】
0006672930.tif 000007
【図７】
0006672930.tif 000008
【図８】
0006672930.tif 000009
【図９】
0006672930.tif 000010
【図１０】
0006672930.tif 000011
【図１１】
0006672930.tif 000012
【図１２】
0006672930.tif 000013
【図１３】
0006672930.tif 000014
【図１４】
0006672930.tif 000015
【図１５】
0006672930.tif 000016
【図１６】
0006672930.tif 000017
【図１７】
0006672930.tif 000018